(57)【要約】【課題】  音響信号処理装置が使用するパラメータの値として、予め記憶させておいた値を呼び出す場合でも、端子からの入出力とネットワークへの送受信とを直に接続している箇所については、呼び出し前のパラメータの値を簡単な操作で維持できるようにする。【解決手段】  外部との間の音響信号の入出力を行う複数の入出力ポートと、ネットワークを介した他の機器との間の音響信号の送受信を行う複数の送受信ポートと、音響信号を処理する信号処理チャンネルと、上記複数の入出力ポート、上記複数の送受信ポート、および上記信号処理チャンネルの間で音響信号を伝送するパッチとに関する、予め記憶させておいたパラメータであるシーンを呼び出す場合に、特定群セーフ設定ボタン３０２により、上記パッチによる上記入出力ポートと前記送受信ポートとの間の接続を規定するパラメータの値について、呼び出し前のパラメータの値を残す設定を行えるようにした。【選択図】        図５
2015171001.tif 000002
【特許請求の範囲】
【請求項１】
それぞれ、ポートパラメータの値に基づいて、外部から音響信号を受け取り処理する複数の入力ポートと、
それぞれ、ネットワークを介して音響信号を送信する複数の送信ポートと、
音響信号を処理する信号処理チャンネルと、
パッチパラメータの示す複数の接続に従って、音響信号を、前記複数の入力ポートから、前記複数の送信ポートと、前記信号処理チャンネルとへ供給するパッチと、
少なくとも前記各入力ポートのポートパラメータの値及び前記パッチのパッチパラメータの値を記憶する第１記憶手段と、
前記第１記憶手段に記憶させるパラメータの値のセットを記憶する第２記憶手段と、
呼出指示に応じて、前記第２記憶手段が記憶する１つの前記セットに含まれるパラメータの値を、前記第１記憶手段中の対応するパラメータの値に上書きする呼出手段と、
前記第１記憶手段における、前記呼出手段による上書き後のパッチパラメータの示す接続が所定の条件を満たす入力ポートについて、前記呼出手段によるその入力ポートのポートパラメータの上書きを禁止する禁止手段とを備えることを特徴とする音響信号処理装置。
【請求項２】
請求項１に記載の音響信号処理装置であって、
前記所定の条件は、該当の入力ポートが前記信号処理チャンネルとは接続されず、かつ前記送信ポートと接続されること、であることを特徴とする音響信号処理装置。
【請求項３】
請求項１に記載の音響信号処理装置であって、
前記所定の条件は、該当の入力ポートが前記信号処理チャンネルと接続されていないこと、であることを特徴とする音響信号処理装置。
【請求項４】
それぞれ、外部から音響信号を受け取るか又は外部へ音響信号を出力する複数の入出力ポートと、
それぞれ、ネットワークを介して他の機器に音響信号を送信するか又はネットワークを介して他の機器からの音響信号を受信する複数の送受信ポートと、
音響信号を処理する信号処理チャンネルと、
１セットのパラメータの示す複数の接続に従って、前記複数の入出力ポートと、前記複数の送受信ポートと、前記信号処理チャンネルとの間で音響信号を伝送するパッチと、
前記１セットのパラメータの値を記憶する第１記憶手段と、
前記第１記憶手段に記憶させる１セットのパラメータの値を記憶する第２記憶手段と、
呼出指示に応じて、前記第２記憶手段が記憶する前記１セットのパラメータの値を、前記第１記憶手段中の対応するパラメータの値に上書きする呼出手段と、
前記第１記憶手段が記憶する１セットのパラメータのうち、前記呼出手段による上書き前のそのパラメータの値が、前記入出力ポートと前記送受信ポートとの間の接続を示しているパラメータについては、前記呼出手段による上書きを禁止する禁止手段とを備えることを特徴とする音響信号処理装置。
【請求項５】
それぞれ、外部へ音響信号を出力する複数の出力ポートと、
それぞれ、ポートパラメータの値に基づいて、ネットワークを介して音響信号を受信する複数の受信ポートと、
音響信号を処理する信号処理チャンネルと、
パッチパラメータの示す複数の接続に従って、音響信号を、前記複数の受信ポートから、前記複数の出力ポートと、前記信号処理チャンネルとへ供給するパッチと、
少なくとも前記各受信ポートのポートパラメータの値と前記パッチパラメータの値を記憶する第１記憶手段と、
前記第１記憶手段に記憶させるパラメータの値のセットを記憶する第２記憶手段と、
呼出指示に応じて、前記第２記憶手段が記憶する１つの前記セットに含まれるパラメータの値を、前記第１記憶手段中の対応するパラメータの値に上書きする呼出手段と、
前記第１記憶手段における、前記呼出手段による上書き後のパッチパラメータが、前記信号処理チャンネルとの接続を示さず、前記出力ポートのいずれかとの接続を示す受信ポートについて、前記呼出手段によるその受信ポートのポートパラメータの上書きを禁止する禁止手段とを備えることを特徴とする音響信号処理装置。
【請求項６】
それぞれ、ポートパラメータの値に基づいて、外部へ音響信号を処理して出力する複数の出力ポートと、
それぞれ、ネットワークを介して音響信号を受信する複数の受信ポートと、
音響信号を処理する信号処理チャンネルと、
パッチパラメータの示す複数の接続に従って、音響信号を、前記複数の受信ポートから、前記複数の出力ポートと、前記信号処理チャンネルとへ供給するパッチと、
少なくとも前記複数の出力ポートのポートデータ及び前記パッチが現在使用するパッチパラメータの値を記憶する第１記憶手段と、
前記第１記憶手段に記憶させるパラメータの値のセットを記憶する第２記憶手段と、
呼出指示に応じて、前記第２記憶手段が記憶する１つの前記セットに含まれるパラメータの値を、前記第１記憶手段中の対応するパラメータの値に上書きする呼出手段と、
前記第１記憶手段における、前記呼出手段による上書き後のパッチパラメータが、前記受信ポートとの接続を示す出力ポートついて、前記呼出手段によるその出力ポートのポートパラメータの上書きを禁止する禁止手段とを備えることを特徴とする音響信号処理装置。
【請求項７】
それぞれ、ポートパラメータの値に基づいて、外部から音響信号を受け取り処理する複数の入力ポートと、それぞれ、ネットワークを介して音響信号を送信する複数の送信ポートと、音響信号を処理する信号処理チャンネルと、パッチパラメータの示す複数の接続に従って、音響信号を、前記複数の入力ポートから、前記複数の送信ポートと、前記信号処理チャンネルとへ供給するパッチと、少なくとも前記各入力ポートのポートパラメータの値及び前記パッチのパッチパラメータの値を記憶する第１記憶手段と、前記第１記憶手段に記憶させるパラメータの値のセットを記憶する第２記憶手段とを備える音響信号処理装置におけるパラメータ呼出方法であって、
呼出指示に応じて、前記第２記憶手段が記憶する１つの前記セットに含まれるパラメータの値を、前記第１記憶手段中の対応するパラメータの値に上書きする呼出手順と、
前記第１記憶手段における、前記呼出手順による上書き後のパッチパラメータの示す接続が所定の条件を満たす入力ポートについて、前記呼出手順によるその入力ポートのポートパラメータの上書きを禁止する禁止手順とを備えることを特徴とするパラメータ呼出方法。
【請求項８】
それぞれ、外部から音響信号を受け取るか又は外部へ音響信号を出力する複数の入出力ポートと、それぞれ、ネットワークを介して他の機器に音響信号を送信するか又はネットワークを介して他の機器からの音響信号を受信する複数の送受信ポートと、音響信号を処理する信号処理チャンネルと、１セットのパラメータの示す複数の接続に従って、前記複数の入出力ポートと、前記複数の送受信ポートと、前記信号処理チャンネルとの間で音響信号を伝送するパッチと、前記１セットのパラメータの値を記憶する第１記憶手段と、前記第１記憶手段に記憶させる１セットのパラメータの値を記憶する第２記憶手段とを備える音響信号処理装置におけるパラメータ呼出方法であって、
呼出指示に応じて、前記第２記憶手段が記憶する前記１セットのパラメータの値を、前記第１記憶手段中の対応するパラメータの値に上書きする呼出手順と、
前記第１記憶手段が記憶する１セットのパラメータのうち、前記呼出手順による上書き前のそのパラメータの値が、前記入出力ポートと前記送受信ポートとの間の接続を示しているパラメータについては、前記呼出手順による上書きを禁止する禁止手順とを備えることを特徴とするパラメータ呼出方法。
【請求項９】
それぞれ、外部へ音響信号を出力する複数の出力ポートと、それぞれ、ポートパラメータの値に基づいて、ネットワークを介して音響信号を受信する複数の受信ポートと、音響信号を処理する信号処理チャンネルと、パッチパラメータの示す複数の接続に従って、音響信号を、前記複数の受信ポートから、前記複数の出力ポートと、前記信号処理チャンネルとへ供給するパッチと、少なくとも前記各受信ポートのポートパラメータの値と前記パッチパラメータの値を記憶する第１記憶手段と、前記第１記憶手段に記憶させるパラメータの値のセットを記憶する第２記憶手段とを備える音響信号処理装置におけるパラメータ呼出方法であって、
呼出指示に応じて、前記第２記憶手段が記憶する１つの前記セットに含まれるパラメータの値を、前記第１記憶手段中の対応するパラメータの値に上書きする呼出手順と、
前記第１記憶手段における、前記呼出手順による上書き後のパッチパラメータが、前記信号処理チャンネルとの接続を示さず、前記出力ポートのいずれかとの接続を示す受信ポートについて、前記呼出手順によるその受信ポートのポートパラメータの上書きを禁止する禁止手段とを備えることを特徴とするパラメータ呼出方法。
【請求項１０】
それぞれ、ポートパラメータの値に基づいて、外部へ音響信号を処理して出力する複数の出力ポートと、それぞれ、ネットワークを介して音響信号を受信する複数の受信ポートと、音響信号を処理する信号処理チャンネルと、パッチパラメータの示す複数の接続に従って、音響信号を、前記複数の受信ポートから、前記複数の出力ポートと、前記信号処理チャンネルとへ供給するパッチと、少なくとも前記複数の出力ポートのポートデータ及び前記パッチが現在使用するパッチパラメータの値を記憶する第１記憶手段と、前記第１記憶手段に記憶させるパラメータの値のセットを記憶する第２記憶手段とを備える音響信号処理装置におけるパラメータ呼出方法であって、
呼出指示に応じて、前記第２記憶手段が記憶する１つの前記セットに含まれるパラメータの値を、前記第１記憶手段中の対応するパラメータの値に上書きする呼出手順と、
前記第１記憶手段における、前記呼出手順による上書き後のパッチパラメータが、前記受信ポートとの接続を示す出力ポートついて、前記呼出手順によるその出力ポートのポートパラメータの上書きを禁止する禁止手段とを備えることを特徴とするパラメータ呼出方法。
【請求項１１】
コンピュータに音響信号処理装置を制御させて、請求項１乃至６のいずれか一項に記載の音響信号処理装置における前記呼出手段及び前記禁止手段の機能を実現させるためのプログラム。
【発明の詳細な説明】
【技術分野】
【０００１】
この発明は、音響信号処理装置、パラメータ呼出方法及びプログラムに関する。
【背景技術】
【０００２】
従来から、複数の音響信号と制御信号とをパラレルに伝送可能なネットワークを用いて、デジタルミキサ等の音響信号処理装置を複数接続して運用することが行われている。
このような音響信号処理装置においては、入力端子から入力する音響信号を扱う入力ポートと、ネットワークに対する音響信号の送信を扱う送信ポートとをパッチにより接続し、入力端子から入力した音響信号を即座にネットワークに送出して、他の音響信号処理装置による信号処理に供することも可能である。
【０００３】
また、ネットワークからの音響信号の受信を扱う受信ポートと、出力端子へ出力する音響信号を扱う出力ポートとをパッチにより接続し、ネットワークから受信した音響信号を即座に出力端子から出力することも可能である。
これらの接続は、例えば、第１音響信号処理装置の入力端子から入力した音響信号を、第２音響信号処理装置で信号処理し、第１音響信号処理装置の出力端子から出力する、というように、第１音響信号処理装置の一部分を、ネットワークへの信号入出力のための端子を提供する信号入出力装置として用いる際に行われる。
【０００４】
また、上記とは別に、デジタルミキサにおけるそれぞれの時点での信号処理の設定（後述する動作パラメータ）を、一括で、シーンメモリに１つのシーンとしてストア（保存）し、必要に応じてそのストアされた複数シーンの中から所望のシーンをリコール（呼びだし）して信号処理に反映させる技術も知られている。また、このリコールに際し、シーンの一部のパラメータを指定して、そのパラメータについてはリコールを行わないようにする、すなわちリコール前のパラメータの値を維持するリコールセーフの技術も知られている。
このリコールセーフについては、例えば特許文献１に記載されている。
【先行技術文献】
【特許文献】
【０００５】
【特許文献１】特許第３９３３１０４号公報
【発明の概要】
【発明が解決しようとする課題】
【０００６】
ところで、上述のように、第１音響信号処理装置の一部分を信号入出力装置として用いる場合、その信号入出力装置として機能させる一部分については、その一部分のパラメータ値の変更が、その一部分の音響信号を入出力している第２音響信号処理装置の信号処理に影響を与える。より具体的には、第２音響信号処理装置において、関連する信号処理パラメータの再調整が必要となる。
一方、第１音響信号処理装置においてシーンのリコールを行った場合、特段の対応をしなければ、上記「一部分」に関するパラメータの値も、他の部分のパラメータの値と共にリコールしたシーンにおける値で上書きされてしまう。上記「一部分」の音響信号を第１音響信号処理装置自身が処理していないのであれば、そのパラメータの値は、シーンリコールで上書きせず、元のまま残すことが好ましいと考えられる。
【０００７】
その場合、第１音響信号処理装置において特許文献１に記載のようなリコールセーフの技術を採用し、上記「一部分」の箇所はリコールを行わないように設定すればよい。しかしながら、上述したパッチによる接続は固定ではなく、ユーザによって随時変更され、それに応じて、信号入出力装置として機能させる「一部分」となる箇所（ポートの番号など）も変化する。パッチが変わるごとに、「一部分」の箇所を正確に把握して、そこにセーフの設定をすることは、ユーザにとって大変煩わしいという問題がある。
【０００８】
この発明は、このような背景に鑑みてなされたものであり、音響信号処理装置が使用するパラメータの値として、予め記憶させておいた値を呼び出す場合でも、端子からの入出力とネットワークへの送受信とを直に接続している箇所については、呼び出し前のパラメータの値を簡単な操作で維持できるようにすることを目的とする。
【課題を解決するための手段】
【０００９】
上記の目的を達成するため、この発明の音響信号処理装置は、それぞれ、ポートパラメータの値に基づいて、外部から音響信号を受け取り処理する複数の入力ポートと、それぞれ、ネットワークを介して音響信号を送信する複数の送信ポートと、音響信号を処理する信号処理チャンネルと、パッチパラメータの示す複数の接続に従って、音響信号を、上記複数の入力ポートから、上記複数の送信ポートと、上記信号処理チャンネルとへ供給するパッチと、少なくとも上記各入力ポートのポートパラメータの値及び上記パッチのパッチパラメータの値を記憶する第１記憶手段と、上記第１記憶手段に記憶させるパラメータの値のセットを記憶する第２記憶手段と、呼出指示に応じて、上記第２記憶手段が記憶する１つの上記セットに含まれるパラメータの値を、上記第１記憶手段中の対応するパラメータの値に上書きする呼出手段と、上記第１記憶手段における、上記呼出手段による上書き後のパッチパラメータの示す接続が所定の条件を満たす入力ポートについて、上記呼出手段によるその入力ポートのポートパラメータの上書きを禁止する禁止手段とを設けたものである。
【００１０】
このような音響信号処理装置において、上記所定の条件が、その当の入力ポートが上記信号処理チャンネルとは接続されず、かつ上記送信ポートと接続されること、であるとよい。
あるいは、上記所定の条件が、その当の入力ポートが上記信号処理チャンネルと接続されていないこと、であることであるとよい。
【００１１】
また、この発明の別の音響信号処理装置は、それぞれ、外部から音響信号を受け取るか又は外部へ音響信号を出力する複数の入出力ポートと、それぞれ、ネットワークを介して他の機器に音響信号を送信するか又はネットワークを介して他の機器からの音響信号を受信する複数の送受信ポートと、音響信号を処理する信号処理チャンネルとをパッチにより接続する場合において、上記禁止手段を、上記第１記憶手段が記憶する１セットのパラメータのうち、上記呼出手段による上書き前のそのパラメータの値が、上記入出力ポートと上記送受信ポートとの間の接続を示しているパラメータについては、上記呼出手段による上書きを禁止する手段としたものである。
【００１２】
また、この発明のさらに別の音響信号処理装置は、それぞれ、外部へ音響信号を出力する複数の出力ポートと、それぞれ、ポートパラメータの値に基づいて、ネットワークを介して音響信号を受信する複数の受信ポートと、音響信号を処理する信号処理チャンネルとをパッチにより接続する場合において、上記禁止手段を、上記第１記憶手段における、上記呼出手段による上書き後のパッチパラメータが、上記信号処理チャンネルとの接続を示さず、上記出力ポートのいずれかとの接続を示す受信ポートについて、上記呼出手段によるその受信ポートのポートパラメータの上書きを禁止する手段としたものである。
【００１３】
また、この発明のさらに別の音響信号処理装置は、それぞれ、ポートパラメータの値に基づいて、外部へ音響信号を処理して出力する複数の出力ポートと、それぞれ、ネットワークを介して音響信号を受信する複数の受信ポートと、音響信号を処理する信号処理チャンネルとをパッチにより接続する場合において、上記禁止手段を、上記第１記憶手段における、上記呼出手段による上書き後のパッチパラメータが、上記受信ポートとの接続を示す出力ポートついて、上記呼出手段によるその出力ポートのポートパラメータの上書きを禁止する手段としたものである。
以上の構成は、装置として実現する他、方法、システム、プログラム、プログラムを記録した記録媒体など、任意の形態で実現可能である。
【発明の効果】
【００１４】
以上のようなこの発明の構成によれば、音響信号処理装置が使用するパラメータの値として、予め記憶させておいた値を呼び出す場合でも、子からの入出力とネットワークへの送受信とを接続している箇所については、呼び出し前のパラメータの値を簡単な操作でなるべく維持できるようにすることができる。
【図面の簡単な説明】
【００１５】
【図１】この発明の音響信号処理装置の実施形態を含む音響信号処理システムの構成例を示す図である。
【図２】図１に示したデジタルミキサのハードウェア構成を示す図である。
【図３】図１に示したデジタルミキサ及び入出力装置における装置内及び装置間の信号伝送経路を示す図である。
【図４】デジタルミキサが記憶する、デジタルミキサが実行する信号処理の内容を規定する動作パラメータの構成を示す図である。
【図５】リコールセーフ設定画面の例を示す図である。
【図６】図１に示したデジタルミキサのＣＰＵが、リコール指示を検出した場合に実行する処理のフローチャートである。
【発明を実施するための形態】
【００１６】
以下、この発明を実施するための形態を図面に基づいて具体的に説明する。
まず、図１に、この発明の音響信号処理装置の実施形態であるデジタルミキサを含む音響信号処理システムの構成例を示す。
図１に示す音響信号処理システムは、２台のデジタルミキサ１０ａ，１０ｂを、オーディオネットワーク３０により接続したものである。
【００１７】
これらのうちデジタルミキサ１０ａ，１０ｂは、詳細は後述するが、それぞれ、供給される１音響信号に対してレベル調整、周波数特性調整等の種々の信号処理を行うとともに、処理された音響信号を出力する複数の信号処理ｃｈと、それぞれ、信号処理ｃｈから供給される音響信号をミキシングする複数のミキシングバスとを備える音響信号処理装置である。また、複数のポートを用いて、１ポートにつき１音響信号ずつ、外部機器との間で音響信号の入出力を行う（入出力ポート）と共に、オーディオネットワーク３０に対して音響信号の送受信を行う（送受信ポート）ことができる。また、上記端子、信号処理ｃｈ及びオーディオネットワーク３０の間の信号伝送を、ユーザの設定に従った伝送経路で行うことができる。
【００１８】
ここでは、デジタルミキサ１０ａ，１０ｂは、同じ機種である必要はないが、上記の音響信号処理装置としての機能は、同等のものを備える。従って、以下の説明において、個体を区別する必要がない場合には、アルファベットを除いたデジタルミキサ１０の符号を用いることにする。デジタルミキサ１０の構成要素を示す他の符号についても同様である。
【００１９】
オーディオネットワーク３０は、複数の音響信号（デジタル波形データ）と制御信号とをパラレルに伝送可能なネットワークである。このような伝送が可能であれば、有線、無線を問わず、任意の規格のネットワークを採用可能である。例えば、EtherSound（商標）、CobraNet（商標）、Dante（商標）、AVB（商標）、TwinLANe（商標）などを用いることが考えられる。
【００２０】
次に、図２に、図１に示したデジタルミキサ１０のハードウェア構成を示す。
図２に示す通り、デジタルミキサ１０は、ＣＰＵ１０１、フラッシュメモリ１０２、ＲＡＭ１０３、外部機器インタフェース（Ｉ／Ｏ）１０４、表示器１０５、操作子１０６、波形Ｉ／Ｏ１０８、オーディオネットワークＩ／Ｏ１０９、信号処理部（ＤＳＰ）１１０を備え、これらがシステムバス１１１によって接続されている。また、波形Ｉ／Ｏ１０８、オーディオネットワークＩ／Ｏ１０９及び信号処理部（ＤＳＰ）１１０は、オーディオバス１１２によっても接続されている。
【００２１】
そして、ＣＰＵ１０１は、このデジタルミキサ１０の動作を統括制御する制御部であり、フラッシュメモリ１０２に記憶された所要のプログラムを実行することにより、外部機器Ｉ／Ｏ１０４、波形Ｉ／Ｏ１０８及びオーディオネットワークＩ／Ｏ１０９におけるデータ及び信号の入出力や表示器１０５における表示の制御、操作子１０６の操作検出及びその操作に従ったパラメータの値の設定／変更の制御等の種々の機能を実現する。
【００２２】
フラッシュメモリ１０２は、ＣＰＵ１０１が実行する制御プログラムや頻繁に書き換える必要のないデータを記憶する書き換え可能な不揮発性記憶部である。
ＲＡＭ１０３は、一時的に記憶すべきデータを記憶したり、ＣＰＵ１０１のワークメモリとして使用したりする記憶部である。
【００２３】
外部機器Ｉ／Ｏ１０４は、種々の外部機器を接続しデータ通信を行うためのインタフェースであり、例えば外部のディスプレイ、マウス、文字入力用のキーボード、操作パネル等を接続するためのインタフェースが用意される。ＰＣを接続して、そのＰＣからデジタルミキサ１０をリモート制御してもよい。
【００２４】
表示器１０５は、ＣＰＵ１０１による制御に従って種々の情報を表示する表示部であり、例えば液晶パネル（ＬＣＤ）や発光ダイオード（ＬＥＤ）によって構成することができる。
操作子１０６は、デジタルミキサ１０に対する操作を受け付けるための種々の操作子であり、電動フェーダ、キー、ボタン、ロータリーエンコーダ、スライダ等によって構成することができる。表示器１０５の画面に表示させた仮想的な操作子を用いることもできる。
【００２５】
波形Ｉ／Ｏ１０８は、外部装置から音響信号の入力を受け付けるための複数の入力端子及び／又は外部装置へアナログの音響信号を出力するための複数の出力端子を備える。複数の各アナログ入力端子に対応して、当該端子に接続された機器から供給される音響信号を扱う複数の各入力ポートを備え、また、複数の各出力端子に対応して、当該端子に接続された機器へ出力する音響信号を扱う複数の各出力ポートを備える。
【００２６】
各入力ポートは、対応する１つの入力端子から入力する１つのアナログ音響信号を、デジタル音響信号にＡ／Ｄ（アナログ／デジタル）変換する。このデジタル音響信号は、後述するパッチで接続された供給先に、オーディオバス１１２を介して供給される。各入力ポートは、この過程で、ヘッドアンプによるアナログ音響信号のゲイン調整、入力端子へのファンタム電源の供給、ＨＰＦ（ハイパスフィルタ）によるデジタル音響信号からの低周波ノイズ除去等の信号処理を行う機能を備える。
【００２７】
また、各出力ポートは、オーディオバス１１２を介して、後述するパッチで接続された１つの供給元からの１つのデジタル音響信号を受け取り、アナログ音響信号にＤ／Ａ（デジタル／アナログ）変換して、対応する１つの出力端子へ出力する。各出力ポートは、この過程で、デジタル音響信号にディレイを付与したり、ゲイン調整したりする等の信号処理を行う機能を備える。
【００２８】
オーディオネットワークＩ／Ｏ１０９は、オーディオネットワーク３０を介して他の装置との間で複数の伝送ｃｈでデジタル音響信号を送受信し、また制御信号を送受信するためのインタフェースである。また、オーディオネットワークＩ／Ｏ１０９には、オーディオネットワーク３０を介してそれぞれ１つの音響信号の送信を行う複数の送信ポートと、オーディオネットワーク３０を介してそれぞれ１つの音響信号の受信を行う複数の受信ポートとを備える。
【００２９】
送信ポートは、オーディオバス１１２を介して、後述するパッチで接続された１つの供給元からの１つの音響信号を受け取り、これを、オーディオネットワーク３０の指定された伝送帯域に送出する。
受信ポートは、オーディオネットワーク３０の指定された伝送帯域から音響信号を取得する。この音響信号は、後述するパッチで接続された供給先へ、オーディオバス１１２を介して供給される。
これらのポート間での音響信号伝送については、後に詳述する。
【００３０】
ＤＳＰ１１０は、信号処理回路を含み、波形Ｉ／Ｏ１０８あるいはオーディオネットワークＩ／Ｏ１０９から入力する音響信号に対し、現在有効な動作パラメータとして設定されている各種パラメータの値に従って、それぞれイコライジングやレベル調整等を行う複数の信号処理チャンネル（以下、“信号処理ｃｈ”または単に“ｃｈ”と表記する）や、それぞれミキシングを行う複数のバス等の各種信号処理を施し、処理された音響信号を波形Ｉ／Ｏ１０８あるいはオーディオネットワークＩ／Ｏ１０９に出力する信号処理部である。これらの処理に用いる動作パラメータの値は、ＲＡＭ１０３上あるいはＤＳＰ１１０自身に備える第１記憶手段である動作パラメータメモリに記憶されており、ユーザは、表示器１０５及び操作子１０６を用いて、そのデータの値を確認したり、変更したりすることができる。
【００３１】
次に、以上説明してきたデジタルミキサ１０ａ，１０ｂにおける装置内及び装置間の信号伝送経路についてより詳細に説明する。図３は、この信号伝送経路を示す図である。
図３において、デジタルミキサ１０ａにおける複数入力ポート１２１ａ及び複数出力ポート１２５ａは、波形Ｉ／Ｏ１０８が備える複数の入出力ポートである。複数送信ポート１２３ａ及び複数受信ポート１２４ａは、オーディオネットワークＩ／Ｏ１０９が備える複数の送受信ポートである。
【００３２】
複数入力ｃｈ１２６ａ、複数バス１２７ａ及び複数出力ｃｈ１２８ａは、それぞれ、ＤＳＰ１１０により実現される信号処理である。各入力ｃｈ１２６ａは、パッチ１２２ａから供給される音響信号に対しイコライジングやバス毎のレベル調整等の種々の信号処理を行って複数のバス１２７ａに出力する。各バス１２７ａは、複数入力ｃｈ１２６ａから入力する音響信号をバス毎にミキシングし、複数出力ｃｈ１２８ａのうちバスと対応するｃｈへ出力する。各出力ｃｈ１２８ａは、バス１２７ａによるミキシング後の音響信号に対しイコライジングや残響付与等の種々の信号処理を行ってパッチ１２２ａに出力する。
【００３３】
パッチ１２２ａは、ユーザが設定した、当該パッチに音響信号を供給する「供給源」と、当該パッチから音響信号を供給する「供給先」の間の接続に従って、供給源から供給先へ音響信号を伝送する機能を備える。
【００３４】
ここでは、複数入力ポート１２１ａ、複数受信ポート１２４ａ及び複数出力ｃｈ１２８ａが供給源であり、複数出力ポート１２５ａ、複数送信ポート１２３ａ及び複数入力ｃｈ１２６ａが供給先である。そして、パッチ１２２ａの設定では、ユーザは、複数送信ポート１２３ａ中の各ポート、複数出力ポート１２５ａ中の各ポート、および複数入力ｃｈ１２６ａ中の各ｃｈに対し、所望の供給源、すなわち、入力ポート、受信ポート又は出力ｃｈを、最大で１つ接続する。
【００３５】
何れの供給源も接続されていない供給先には、当該パッチ内の図示しない供給源から、無音の音響信号が供給される。また、ある供給源に何れの供給先も接続されていない場合、その供給源から供給される音響信号は、以降の処理に供されずに当該パッチで消滅することになる。
いずれにしろ、パッチ１２２ａは、複数の各供給先に対し、その供給先に接続された供給源からの音響信号を、オーディオバス１１２を介して供給する。
デジタルミキサ１０ｂにおいても、装置内の信号伝送はデジタルミキサ１０ａと同様である。
【００３６】
また、各装置の複数送信ポート１２３ａ，１２３ｂ中の各ポートは、信号供給源から供給された１つの音響信号を、オーディオネットワーク３０の１つの伝送帯域に送出する。各送信ポートが使用する伝送帯域をユーザが指定するようにしてもよいし、各送信ポートでの送信を始めるとき、装置が自動的に指定するようにしてもよい。
また、各装置の複数受信ポート１２４ａ，１２４ｂ中の各ポートは、オーディオネットワーク３０のうち、１つの伝送帯域から音響信号を読み出して受信する。どの伝送帯域から音響信号を読み出すかを、ユーザが指定するようにしてもよいし、各伝送帯域への送出元の送信ポートからの情報に基づいて、装置が自動的に指定するようにしてもよい。
【００３７】
以上により、各送信ポートが信号送出に用いる伝送帯域及び各受信ポートが信号を読み出す伝送帯域を適切に設定すれば、図１に示した音響信号処理システム内の任意の装置の任意の送信ポートから任意の装置の任意の受信ポートへ、音響信号を伝送することができる。なお、１の送信ポートから送信した音響信号を、複数の受信ポートが受信しても差し支えない。
【００３８】
次に、図４に、動作パラメータメモリに記憶されている、デジタルミキサ１０で実行中の信号処理を制御する動作パラメータの構成を示す。なお、この図におけるパラメータの並びは一例であって、必ずしもこの順に並べる必要はない。
図４に示すように、この動作パラメータは、それぞれ複数パラメータからなる、入力ｃｈパラメータ、出力ｃｈパラメータ、パッチパラメータ、入力ポートパラメータ、出力ポートパラメータ及びネットワーク送受信設定を含む。
【００３９】
このうち入力ｃｈパラメータＩＣＤ（ｉｃ）は、複数入力ｃｈ１２６中の各ｃｈ（第１入力ｃｈ＿ｉｃ１〜第ｗ入力ｃｈ＿ｉｃｗ）において実行する信号処理を制御する複数パラメータである。ここで、ｉｃは入力ｃｈの識別情報である。また、出力ｃｈパラメータＯＣＤ（ｏｃ）は、複数出力ｃｈ１２８中の各ｃｈにおいて実行する信号処理を制御する複数パラメータである。ここで、ｏｃは出力ｃｈの識別情報である。
【００４０】
パッチパラメータは、パッチ１２２が用いる、信号供給源と信号供給先との接続を規定するパラメータである。より具体的には、複数送信ポート１２３中の各ポート（第１送信ポートｓｐ１〜第ｘ送信ポートｓｐｘ）に接続された供給源を示すＳＩＤ（ｓｐ）、複数出力ポート１２５中の各ポート（第１出力ポートｏｐ１〜第ｍ出力ポートｏｐｍ）に接続された供給源を示すＳＩＤ（ｏｐ）、および複数入力ｃｈ１２６中の各ｃｈに接続された供給源を示すＳＩＤ（ｉｃ）である。ここで、ｓｐ，ｏｐはそれぞれ、送信ポート、出力ポートの識別情報である。
【００４１】
入力ポートパラメータは、複数入力ポート１２１が行う信号処理を制御するパラメータである。そして、複数入力ポート１２１中の各ポート（第１入力ポートｉｐ１〜第ｎ入力ポートｉｐｎ）について、ヘッドアンプのゲイン、ファンタム電源のオンオフ、ＨＰＦのオンオフ等を含む入力ポートパラメータＩＰＤ（ｉｐ）を記憶している。ここで、ｉｐは入力ポートの識別情報である。
【００４２】
出力ポートパラメータは、複数出力ポート１２５が行う信号処理を制御するパラメータである。そして、複数出力ポート１２５中の各ポートについて、ディレイにおける遅延量、ゲイン調整におけるゲイン値等を含む出力ポートパラメータＯＰＤ（ｏｐ）を記憶している。
【００４３】
ネットワーク受信設定は、オーディオネットワーク３０を介したデータの受信を規定する複数パラメータである。このネットワーク受信設定は、複数受信ポート１２４中の各ポート（第１受信ポートｒｐ１〜第ｙ受信ポートｒｐｙ）が音響信号を取り出す伝送帯域を示す取出帯域ｔＩＤ（ｒｐ）とを含む。ここで、ｒｐは、受信ポートの識別情報である。なお、複数送信ポート１２３中の各ポートが音響信号の送出に用いる伝送帯域を示す送出帯域ｔＩＤ（ｓｐ）は、動作パラメータメモリではない別のメモリに記憶されており、シーンメモリに記憶されるシーンに送出帯域ｔＩＤ（ｓｐ）は含まれない。
デジタルミキサ１０は、以上の図４に示した各パラメータの値を、デジタルミキサ１０自身のユーザインターフェースに対するユーザ操作に従って編集可能である。
【００４４】
次に、デジタルミキサ１０におけるシーンリコール及びリコールセーフについて説明する。
デジタルミキサ１０においては、図４に示したパラメータの値の１セットを１つのシーンとして、フラッシュメモリ１０２に設ける第２記憶手段であるシーンメモリにそのシーンを複数記憶可能である。そして、ユーザのリコール指示に応じて、複数シーンのうちの、そのリコール指示で指定された１つのシーンに含まれるパラメータの値を、動作パラメータメモリにリコールする（呼び出す）ことができる。
【００４５】
このリコールは、シーンのパラメータの値を、動作パラメータメモリにおける対応するパラメータの値に上書きすることにより行う。この呼び出しに係る処理については、後に詳述する。
また、ある時点で動作パラメータメモリに記憶しているパラメータの値のセットを、ユーザのストア指示に従って、そのストア指示で指定された１つのシーンとしてシーンメモリにストア（保存）することも可能である。
【００４６】
この実施形態において特徴的な点は、上述のシーンのリコールに際し、送受信ポートに接続されている入出力ポートの設定や、送受信ポートに接続されている入出力ポートとのパッチ設定について、一括してリコール対象からの除外（リコールセーフ）を指定できるようにした点である。
【００４７】
図５に、その設定を受け付けるためのリコールセーフ設定画面の例を示す。
このリコールセーフ設定画面３００は、デジタルミキサ１０の表示器１０５に表示させるＧＵＩ（グラフィカルユーザインタフェース）である。そして、各ｃｈパラメータや各ポートパラメータなどのパラメータ群毎に、個別にリコールセーフの設定を受け付けるための個別セーフ設定部３１０〜３８０と、それぞれ複数のパラメータ群からなる特定群毎に、上記の一括したリコールセーフの設定を受け付けるための特定群セーフ設定ボタン３０１〜３０４とを備える。
【００４８】
このうち、個別セーフ設定部３１０は、入力ポート１２１における信号処理に用いるパラメータ（図４の入力ポートパラメータ）について、各ポートのパラメータ群単位でリコールセーフの有効又は無効を設定するためのセクションである。ここでは、１６の入力ポートと対応する、１〜１６の番号を付したボタンを設けており、これらのボタンはトグルでオンオフできる。図５において、ハッチングを付したボタンがオンであり、リコール時に、対応する入力ポートの一群のパラメータの値を上書きしない（リコールセーフが有効）ことを示す。ハッチングを付していないボタンはオフであり、対応する入力ポートの一群のパラメータの値を上書きする（リコールセーフが無効）ことを示す。これらのボタンについては、他の各個別セーフ設定部に設けたものも、どのポートやｃｈと対応しているかが異なるのみで、機能は同趣旨である。
【００４９】
個別セーフ設定部３２０は、複数入力ｃｈ１２６に関するパッチ設定（図４の各入力ｃｈへの供給源SID(ic)）について、各ｃｈのパラメータ群単位でリコールセーフの有効又は無効を設定するためのセクションである。
個別セーフ設定部３３０は、複数入力ｃｈ１２６における信号処理に用いるパラメータ（図４の入力ｃｈパラメータICD(ic)）について、各ｃｈのパラメータ群単位でリコールセーフの有効又は無効を設定するためのセクションである。
個別セーフ設定部３４０は、複数出力ｃｈ１２８における信号処理に用いるパラメータ（図４の出力ｃｈパラメータOCD(oc)）について、各ｃｈのパラメータ群単位でリコールセーフの有効又は無効を設定するためのセクションである。
【００５０】
個別セーフ設定部３５０は、複数送信ポート１２３に関するパッチ設定（図４の各送信ポートへの供給源SID(sp)）について、各ポートのパラメータ群単位でリコールセーフの有効又は無効を設定するためのセクションである。
個別セーフ設定部３６０は、複数出力ポート１２５に関するパッチ設定（図４の各出力ポートへの供給源SID(op)）について、各ポートのパラメータ群単位でリコールセーフの有効又は無効を設定するためのセクションである。
【００５１】
個別セーフ設定部３７０は、複数受信ポート１２４における読出帯域を定めるパラメータ（図４の各受信ポートの読出帯域tID(rp)）について、各ポートのパラメータ群単位でリコールセーフの有効又は無効を設定するためのセクションである。
個別セーフ設定部３８０は、複数出力ポート１２５における信号処理に用いるパラメータ（図４の出力ポートパラメータ）について、各ポートのパラメータ群単位でリコールセーフの有効又は無効を設定するためのセクションである。
【００５２】
一方、特定群セーフ設定ボタン３０１は、図４の入力ポートパラメータＩＰＤ（ｉｐ）を１つの特定群１として、複数入力ポート１２１のうち、複数入力ｃｈ１２６のいずれにも接続されておらず、かつ複数送信ポート１２３のいずれかに接続されているという条件を満たすポート一括でのリコールセーフを有効又は無効に設定するためのボタンである。ユーザが、特定群セーフ設定ボタン３０１をオンすると、この条件を満たす入力ポートのパラメータＩＰＤ(ｉｐ)が一括してリコールセーフされる。この操作に際し、パッチにおける個々の入力ポートの接続先をユーザが把握している必要はない。
【００５３】
なお、ポートの接続先の判定は、リコール指示時（つまり、リコール実行前）の動作パラメータメモリのパッチパラメータではなく、リコール実行後の動作パラメータメモリのパッチパラメータ（原則としてはリコールしようとするシーンにおけるパッチパラメータだが、パッチパラメータのリコールをセーフする箇所についてはリコール実行前の動作パラメータメモリのパッチパラメータ、以降も同様）に基づいて行われる。
【００５４】
特定群セーフ設定ボタン３０１をオンすることにより、シーンのリコール後にオーディオネットワーク３０を介して他の機器へ直接送信され、入力ポート自体が行う信号処理を除き内部の信号処理には供されない入力信号に関する入力ポートの設定を、リコール前のまま維持することができる。従って、その入力ポートの音響信号を受信している別の音響信号処理装置の信号処理に対するリコールの影響を軽減できる。
【００５５】
また、特定群セーフ設定ボタン３０２は、図４の送信ポートへの供給源ＳＩＤ(ｓｐ)と出力ポートへの供給源ＳＩＤ（ｏｐ）とを１つの特定群２として、複数送信ポート１２３及び複数出力ポート１２５のうち、リコール実行前に複数入力ポート１２１のいずれかに接続されているという条件を満たす送信ポート、及び、リコール実行前に複数受信ポート１２４のいずれかに接続されているという条件を満たす出力ポート一括でのリコールセーフを有効又は無効に設定するためのボタンである。ユーザが、特定群セーフ設定ボタン３０２をオンすると、それぞれ条件を満たす送信ポートのパッチ設定（ＳＩＤ（ｓｐ））及び出力ポートのパッチ設定（ＳＩＤ（ｏｐｏ））が一括してリコールセーフされる。この操作に際し、パッチにおける送信ポートや出力ポートの接続先をユーザが把握している必要はない。なお、ポートの接続先の判定は、特定群セーフ設定ボタン３０１の場合と異なり、リコール実施前の動作パラメータメモリにおけるパッチの設定に従って判定する。
【００５６】
特定群セーフ設定ボタン３０２をオンすることにより、シーンのリコール前の、入出力ポートが行う信号処理を除き内部の信号処理には供されない音響信号に関する、入力ポートと送信ポートの接続と、受信ポートと出力ポートの接続とを、シーンリコール後もそのまま維持することができる。従って、その入力ポートの音響信号を受信している別の音響信号処理装置、および、その受信ポートが受信中の音響信号を送信している別の音響信号処理装置に対するリコールの影響を軽減することができる。なお、送信ポートへの供給源ＳＩＤ(ｓｐ)と出力ポートへの供給源ＳＩＤ(ｏｐ)とで１つの特定群とはせず、送信ポートへの供給源ＳＩＤ（ｓｐ）だけを１つの特定群とする特定群セーフ設定ボタン、ないし出力ポートへの供給源ＳＩＤ（ｏｐ）だけを１つの特定群とする特定群セーフ設定ボタンを設けるようにしてもよい。
【００５７】
また、特定群セーフ設定ボタン３０３は、図４の受信ポートの取出帯域ｔＩＤ（ｓｐ）を１つの特定群３として、複数受信ポート１２４のうち、複数入力ｃｈ１２６のいずれにも接続されておらず、かつ、複数出力ポート１２５のいずれかに接続されているという条件を満たすポート一括でのリコールセーフを有効又は無効に設定するためのボタンである。ユーザが、特定群セーフ設定ボタン３０３をオンすると、この条件を満たす受信ポートの取出帯域ｔＩＤ(ｓｐ)が一括してリコールセーフされる。この操作に際し、パッチにおける個々のポート番号を把握している必要はない。なお、ポートの接続先の判定は、リコール実行後の動作パラメータメモリのパッチパラメータに基づいて行われる。
【００５８】
特定群セーフ設定ボタン３０３をオンすることにより、シーンのリコール後にネットワーク３０を介して他の機器から受信して直接出力端子から出力され、出力ポートが行う信号処理を除き内部の信号処理には供されない音響信号の、ネットワーク３０からの取込に関する設定を、リコール前のまま維持することができる。従って、デジタルミキサ１０Ａの出力端子を利用して音響信号を出力している他のデジタルミキサ１０Ｂの信号処理に対するリコールの影響を軽減できる。
【００５９】
また、特定群セーフ設定ボタン３０４は、図４の出力ポートパラメータＯＰＤ（ｏｐ）を１つの特定群４として、複数出力ポート１２５のうち、複数受信ポート１２４のいずれかに接続されているという条件を満たすポート一括でのリコールセーフを有効又は無効に設定するためのボタンである。ユーザが、特定群セーフ設定ボタン３０４をオンすると、この条件を満たす出力ポートのパラメータＯＰＤ(ｏｐ)が一括してリコールセーフされる。この操作に際し、パッチにおける個々の出力ポートの接続先をユーザが把握している必要はない。なお、ポートの接続先の判定は、リコール実行後の動作パラメータメモリのパッチパラメータに基づいて行われる。ここでは、供給先（出力ポート）に接続されている供給源（受信ポート）が、他の供給源（入力チャンネル）に接続されているか否かを問わない条件とされているが、これは、出力ポートのパラメータが、接続先の受信ポートの音響信号に全く影響しないためである。
【００６０】
特定群セーフ設定ボタン３０４をオンすることにより、シーンのリコール後にネットワーク３０を介して他の機器から受信して直接出力端子から出力され、出力ポートが行う信号処理を除き内部の信号処理には供されない出力信号に関する出力ポートの設定を、リコール前のまま維持することができる。従って、デジタルミキサ１０Ａの出力端子を利用して音響信号を出力している他のデジタルミキサ１０Ｂの信号処理に対するリコールの影響を軽減できる。
【００６１】
以上説明してきた特定群セーフ設定ボタン３０１〜３０４及び個別セーフ設定部３１０〜３８０によるリコールセーフの設定は、全て独立してオンオフを切り替えることができる。
そして、特定群セーフ設定ボタン３０１〜３０４により、入出力ポートが行う信号処理を除きデジタルミキサ１０内部の信号処理には供されない音響信号に関する各部の設定に関するリコールセーフを、ユーザがこれに該当する具体的なポート番号を把握していなくても、選択的にかつ容易に設定することができる。
【００６２】
次に、以上説明してきたリコールセーフの設定に従ったリコールの実行に関する処理について説明する。
図６は、デジタルミキサ１０のＣＰＵ１０１が、リコール指示を検出した場合に実行する処理のフローチャートである。この処理は、この発明のパラメータ呼出方法の実施形態に係る処理である。
【００６３】
ＣＰＵ１０１は、操作子１０６の操作等により、ユーザが、リコールしたいシーンをシーンメモリの複数シーンから選択してリコールの実行を指示したことを検出すると、図６のフローチャートに示す処理を開始する。
そしてまず、ＣＰＵ１０１は、そのリコールを指示されたシーン（当該シーン）のデータを特定し、シーンメモリから読み出す準備をする（Ｓ１１）。次に、動作パラメータメモリの動作パラメータを他の処理が参照しないようにロックする（Ｓ１２）。ロックされた動作パラメータの値は、他の処理により変更されず、また、デジタルミキサ１０の信号処理に影響しない。
【００６４】
次に、ＣＰＵ１０１は、当該シーン中の未処理のパラメータ群の１つを処理対象とする（Ｓ１３）。パラメータ群とは、個別リコール設定におけるリコールセーフの設定単位である。
次に、ＣＰＵ１０１は、処理対象のパラメータ群にリコールセーフの設定がなされているか否か判断する（Ｓ１４）。ここでの判断に用いる設定は、個別セーフ設定部３１０〜３８０においてなされた設定である。例えば、処理対象のパラメータ群が１番目の入力ｃｈに関するパラメータの群であれば、１番目の入力ｃｈのパラメータについてリコールセーフが設定されているか否か判断する。
【００６５】
ステップＳ１４でＮｏの場合、ＣＰＵ１０１は次に、処理対象のパラメータ群がいずれかの特定群に含まれるか否か判断する（Ｓ１５）。上述したように、各特定群は、特定群セーフ設定ボタン３０１〜３０４の１つと対応している。特定群セーフ設定ボタン３０１は特定群１と、特定群セーフ設定ボタン３０２は特定群２と、特定群セーフ設定ボタン３０３は特定群３と、特定群セーフ設定ボタン３０４は特定群４とそれぞれ対応する。なお、ステップＳ１５の判断では、何番目のｃｈ又はポートのパラメータであるか、ということは問わない。また、いずれかの特定群に属する場合、ステップ１５の判断はＹｅｓとなり、Ｘにその特定群の識別情報（ここでは１〜４の何れか１つ）を代入する。
【００６６】
ステップＳ１５でＹｅｓ場合、ＣＰＵ１０１は、次に、特定群Ｘのリコールセーフが有効か否か（対応する特定群セーフ設定ボタンがＯＮであるか否か）を判断する（Ｓ１６）。ここでもＹｅｓであれば、処理対象のパラメータ群に係るｃｈ又はポートが、特定群Ｘの条件Ｘを満たすｃｈ又はポートであるか否か、つまり、処理対象のパラメータ群が、特定群Ｘの条件Ｘに照らして、リコールセーフの対象であるか否か判断する（Ｓ１７）。
【００６７】
ここで、各特定群Ｘの条件Ｘは、以下の通りある。
（１）特定群１についての条件１
シーンリコール後のパッチ設定において、処理対象のパラメータ群と対応する入力ポートが、複数入力ｃｈ１２６のいずれにも接続されておらず、かつ複数送信ポート１２３のいずれかと接続されている。
（２）特定群２についての条件２
シーンリコール前のパッチ設定において、処理対象のパラメータ群と対応する送信ポートが複数入力ポート１２１のいずれかと接続されているか、または処理対象のパラメータ群と対応する出力ポートが複数受信ポート１２４のいずれかと接続されている。
（３）特定群３についての条件３
シーンリコール後のパッチ設定において、処理対象のパラメータ群と対応する受信ポートが、複数入力ｃｈ１２６のいずれにも接続されておらず、かつ複数出力ポート１２５のいずれかと接続されている。
（４）特定群４についての条件４
シーンリコール後のパッチ設定において、処理対象のパラメータ群と対応する出力ポートが、複数送信ポート１２３のいずれかと接続されている。
【００６８】
ステップＳ１７でＹｅｓの場合、処理対象のパラメータ群はリコールセーフの対象であると判断できる。したがって、その一群のパラメータの値を動作パラメータメモリの対応するパラメータ群に上書きすることなく、ステップＳ１９に進む。そして、ＣＰＵ１０１は、当該シーンに未処理のパラメータ群があれば（Ｓ１９のＹｅｓ）、ステップＳ１３に戻って次のパラメータ群を処理対象とし、処理を繰り返す。
ステップＳ１４でＹｅｓの場合も、処理対象のパラメータ群はリコールセーフの対象であると判断できるため、同様に、対応するパラメータ群の上書きを行わない。
【００６９】
ステップＳ１５、ステップＳ１６又はステップＳ１７でＮｏの場合には、処理対象のパラメータ群はリコールセーフの対象でないと判断できる。そこでＣＰＵ１０１は、当該シーンにおける処理対象のパラメータ群の値を、動作パラメータメモリ中の対応するパラメータ群の値に上書きして（Ｓ１８）、ステップＳ１９に進む。
ステップＳ１９でＮｏ、すなわち当該シーンの全てのパラメータ群について処理を終了すると、ＣＰＵ１０１は動作パラメータのロックを解除して（Ｓ２０）、図６の処理を終了する。これにより、動作パラメータメモリの動作パラメータを他の処理から参照できるようになり、シーンリコール後の動作パラメータの値が、デジタルミキサ１０の各種信号処理に反映される。
【００７０】
以上の処理において、ステップＳ１３乃至Ｓ１９の処理が呼出手順の処理であり、これらの処理においてＣＰＵ１０１が呼出手段として機能する。また、そのうちステップＳ１５乃至Ｓ１７の処理が禁止手順の処理であり、これらの処理においてＣＰＵ１０１が禁止手段として機能する。
【００７１】
以上の図６の処理により、図５を用いて説明した各種リコールセーフの設定に従ったリコールを実行することができる。従って、デジタルミキサ１０Ａの入出力ポート１２１，１２５を送受信ポート１２３，１２４と接続し、主として他のデジタルミキサ１０Ｂが処理する音響信号を扱う箇所のパラメータについては、ユーザが具体的なポート番号を把握していなくても簡単な操作でリコールセーフを設定し、シーンリコールの影響を受けないようにすることができる。従って、他の音響信号処理装置における信号処理への影響を抑えることができる。
【００７２】
以上で実施形態の説明を終了するが、装置の構成や具体的な処理内容、処理の手順、データの構成、画面の表示内容、操作方法等が上述の実施形態で説明したものに限られないことはもちろんである。
例えば、リコールセーフを設定する単位は、図５を用いて説明したものに限られない。例えば、複数の特定群について一括してオンオフを切り替えるための操作子を設けてもよい。また、個別セーフ設定部３１０〜３８０を設けることは必須ではない。
【００７３】
また、上述した条件１については、「リコールを指示されたシーンのパッチ設定において、処理対象のパラメータ群と対応する入力ポートが、入力ｃｈ１２６のいずれにも接続されていない」としてもよい。リコール後に入力ｃｈに接続されていない入力ポートは、その時点で、その入力ポートからの信号は、デジタルミキサ１０Ａ内で処理されないため、リコールの対象から外すということである。この変形例では、送信ポート１２３に接続される可能性のあるポートのパラメータの値を維持しており、この条件を用いても、上述した実施形態の場合と同様な効果が得られる。
【００７４】
また、シーンについても、図４に示した動作パラメータの全てを含んでいる必要はない。入力ポートパラメータと送信ポートパラメータとパッチパラメータのみ、など、動作パラメータの任意の一部分をシーンとしてストアし、これをリコールすることができるようにしてもよい。この場合でも、図６に示した処理により、リコールセーフの設定をリコールに反映させることができる。なお、リコールするシーンに含まれないパラメータの値は、リコール前後で変化しない。従って、リコールするシーンに含まれないパラメータに関するリコールセーフの設定は、リコール動作に影響を与えない。
【００７５】
また、上述した実施形態では、デジタルミキサ１０が複数入力ポート１２１、複数送信ポート１２３、複数受信ポート１２４、複数出力ポート１２５、および信号処理ｃｈ（複数入力ｃｈ１２６及び複数出力ｃｈ１２８）を全て備えている例について説明したが、これは必須ではない。これらのうち一部のみ、例えば、複数入力ポート１２１、複数送信ポート１２３および信号処理ｃｈのみ、あるいは、複数受信ポート１２４、複数出力ポート１２５および信号処理ｃｈのみを備えている装置に対しても、この発明は適用可能である。
【００７６】
また、信号処理ｃｈで行う信号処理も、ダイナミクスやイコライジングなどの信号の加工を伴うものでなくてもよい。単なる録音や再生でも構わない。一般に「トラック」と呼ばれる信号処理部も、信号処理ｃｈの一例である。
また、この発明は、デジタルミキサ以外の音響信号処理装置に適用することも可能である。シンセサイザ、レコーダ、エフェクタ、音源装置等であっても、複数の入出力ポートと、複数の送受信ポートと、それらの間で予め設定された対応関係に従って音響信号を伝送するパッチとを備える音響信号処理装置におけるパラメータの値の呼び出しに適用しても、上述した実施形態と同様な効果が得られる。
【００７７】
また、この発明のプログラムの実施形態は、コンピュータに、特定群セーフ設定ボタン３０１〜３０４を用いたリコールセーフ設定の機能を備えない音響信号処理装置を制御させて、特定群セーフ設定ボタン３０１〜３０４を用いたリコールセーフ設定の機能の機能を実現させるためのプログラムである。
【００７８】
このようなプログラムは、はじめからコンピュータに備えるＲＯＭや他の不揮発性記憶媒体（フラッシュメモリ，ＥＥＰＲＯＭ等）などに格納しておいてもよい。しかし、メモリカード、ＣＤ、ＤＶＤ、ブルーレイディスク等の任意の不揮発性記録媒体に記録して提供することもできる。それらの記録媒体に記録されたプログラムをコンピュータにインストールして実行させることにより、上述した各手順を実行させることができる。
【００７９】
さらに、ネットワークに接続され、プログラムを記録した記録媒体を備える外部装置あるいはプログラムを記憶手段に記憶した外部装置からダウンロードし、コンピュータにインストールして実行させることも可能である。
また、以上述べてきた構成及び変形例は、矛盾しない範囲で適宜組み合わせて適用することも可能である。
【産業上の利用可能性】
【００８０】
以上の説明から明らかなように、この発明の音響信号処理装置、パラメータ呼出方法及びプログラムによれば、音響信号処理装置が使用するパラメータの値として、予め記憶させておいた値を呼び出す場合でも、端子からの入出力とネットワークへの送受信とを接続している箇所については、呼び出し前のパラメータの値を簡単な操作でなるべく維持できるようにすることができる。
従って、この発明を適用することにより、ネットワークを介して複数の音響信号処理装置を接続して動作させる場合における、パラメータの呼び出しに係る操作の操作性を向上させることができる。
【符号の説明】
【００８１】
１０…デジタルミキサ、３０…オーディオネットワーク、１０１…ＣＰＵ、１０２…フラッシュメモリ、１０３…ＲＡＭ、１０４…外部機器Ｉ／Ｏ、１０５…表示器、１０６…操作子、１０８…波形Ｉ／Ｏ、１０９…オーディオネットワークＩ／Ｏ、１１０…ＤＳＰ、１１１…システムバス、１１２…オーディオバス、１２１…入力ポート、１２２…パッチ、１２３…送信ポート、１２４…受信ポート、１２５…出力ポート、１２６…入力ｃｈ、１２７…バス、１２８…出力ｃｈ、３００…リコールセーフ設定画面、３０１〜３０４…特定群セーフ設定ボタン、３１０〜３８０…個別セーフ設定部
【図１】
2015171001.tif 000003
【図２】
2015171001.tif 000004
【図３】
2015171001.tif 000005
【図４】
2015171001.tif 000006
【図５】
2015171001.tif 000007
【図６】
2015171001.tif 000008